(57)【要約】【課題】中高層或いは高層の建物のセキュリティー向上。【解決手段】利用者が中高層或いは高層の建物の共用ゲートを通って乗場へと移動する間に、該利用者が所持する記憶媒体のＩＤ認証を行い、かつ共用ゲートに設けられたゲート認証手段と、かご制御装置と、行先タッチ釦用のタッチパネル制御部を有する行先階登録装置を備えたエレベータにおける行先階制御システムであって、利用者が乗り込むかご内に再び記憶媒体のＩＤ認証を行うかご内認証手段を配設し、かご制御装置又は行先階登録装置のいずれかは、ゲート認証手段の認証成立を判定した時点から所定時間内にかご内認証手段での認証の成立を判定しない限り、乗場から上昇する基準階に位置するかごの行先タッチ釦のタッチ操作に基づく行先を有効としないように制御する。【選択図】図１
2015189553.tif 000002
【特許請求の範囲】
【請求項１】
利用者が中高層或いは高層の建物の共用ゲートを通って乗場へと移動する間に、該利用者が所持する記憶媒体のＩＤ認証を行い、かつ前記共用ゲート又は該共用ゲート付近のいずれかに設けられたゲート認証手段と、かご制御装置と、行先タッチ釦用のタッチパネル制御部を有する行先階登録装置を備えたエレベータにおける行先階制御システムであって、
前記利用者が乗り込むかご内に再び前記記憶媒体のＩＤ認証を行うかご内認証手段を配設し、前記かご制御装置又は行先階登録装置のいずれかは、前記ゲート認証手段の認証成立を判定した時点から所定時間内に前記かご内認証手段での認証の成立を判定しない限り、前記乗場から上昇する基準階に位置する前記かごの前記行先タッチ釦のタッチ操作に基づく行先を有効としないように制御するエレベータにおける行先階制御システム。
【請求項２】
請求項１に於いて、利用者が所持する記憶媒体は、電波の届く所定領域で、質問器としてのゲート認証手段と呼応する応答器又はタグ機能を有する携帯端末のいずれかであることを特徴とするエレベータにおける行先階制御システム。
【請求項３】
利用者が中高層或いは高層の建物の共用ゲートを通って乗場へと移動する間に、該利用者が所持する記憶媒体のＩＤ認証を行い、かつ前記共用ゲート又は該共用ゲート付近のいずれかに設けられたゲート認証手段と、かご制御装置と、行先タッチ釦用のタッチパネル制御部を有する行先階登録装置を備えたエレベータにおける行先階制御システムであって、前記乗場に前記記憶媒体と呼応する乗場質問器を配設し、前記かご制御装置又は行先階登録装置のいずれかは、前記ゲート認証手段の認証成立を判定した時点から所定時間内に前記乗場質問器での認証の成立を判定しない限り、前記乗場から上昇する基準階に位置するかごの前記行先タッチ釦のタッチ操作に基づく行先を有効としないように制御するエレベータにおける行先階制御システム。
【請求項４】
利用者が中高層或いは高層の建物の共用ゲートを通って乗場へと移動する間に、該利用者が所持する記憶媒体のＩＤ認証を行い、かつ前記共用ゲート又は該共用ゲート付近のいずれかに設けられたゲート認証手段と、かご制御装置と、行先タッチ釦用のタッチパネル制御部を有する行先階登録装置を備えたエレベータにおける行先階制御システムであって、前記乗場までの通路に前記記憶媒体と呼応する通路質問器を配設し、前記かご制御装置又は行先階登録装置のいずれかは、前記ゲート認証手段の認証成立を判定した時点から所定時間内に前記通路質問器での認証の成立を判定しない限り、前記乗場から上昇する基準階に位置するかごの前記行先タッチ釦のタッチ操作に基づく行先を有効としないように制御するエレベータにおける行先階制御システム。
【請求項５】
請求項１、請求項３、請求項４のいずれかに於いて、かご及び各かごをそれぞれ制御するかご制御装置が複数個あり、前記複数個のかご制御装置は、かご側伝送装置を介してエレベータ管理装置に接続し、該エレベータ管理装置、前記かご制御装置又は行先階登録装置のいずれかは、前記ゲート認証手段の認証成立を判定した時点から所定時間内に前記通路、乗場、かご内のいずれかの認証の成立を判定しない限り、前記乗場から上昇する基準階に位置するかごの前記行先タッチ釦のタッチ操作に基づく行先を有効としないように制御することを特徴とするエレベータにおける行先階制御システム。
【請求項６】
請求項１、請求項３、請求項４のいずれかに於いて、かご制御装置又は行先階登録装置のいずれかは、ゲート認証手段の認証成立を判定した時点から所定時間内にエレベータの搭乗口（かご自体の扉も含む）の扉を開扉状態に制御することを特徴とするエレベータにおける行先階制御システム。
【発明の詳細な説明】
【技術分野】
【０００１】
本発明は、エレベータにおける行先階制御システムに関する。
【背景技術】
【０００２】
特許文献１は、エレベータのかご内にカードリーダ（かご内認証手段）を設置する事項が開示されている。この特許文献１は、かご内で利用者のＩＤカードを認証すると、直ちにかごが出発してしまうという問題点を解消しようとするものである。そのために、「記憶媒体としてのＩＤカードをリーダに対して差し込み操作すると、インタフェースからエレベータの起動阻止信号を出力するようにし、前記ＩＤカードのＩＤ判別の時間的余裕が生じるように構成」している。
【０００３】
しかして、特許文献１は、普通一般に「ホテルのエレベータ」で見受けられるように、セキュリティー（防犯目的）の向上のために、かご内で記憶媒体（ＩＤカード）のＩＤ認証を行うもので、該ＩＤ認証が有効でない限り、かご制御装置或いはタッチパネル制御部のいずれかは、行先タッチ釦の押下を有効としない（タッチ操作に基づく行先階の呼びの登録を許可しない）ように制御する（例えば行先階のランプが点灯しない、かごが上昇しない、行先階に停止しない等の態様）。
【０００４】
ところで、中高層或いは高層の建物に於いて、居住者、会社員等の利用者は、共用ゲート（出入り口）を通って乗場やかごへと移動する。その時、セキュリティーの向上という観点からは、いわゆる「ダブル認証」をするのが望ましい。また前記ダブル認証は記憶媒体のＩＤ照合に時間を要しないように瞬時に行われることが望まれる。さらに、「なりします者」を排除するために、前記ダブル認証に時限を付与することが望ましい。そこで、このような期待を満足させるために本発明が出現した。
【先行技術文献】
【特許文献】
【０００５】
【特許文献１】特開平１１−６００８４号公報
【発明の概要】
【発明が解決しようとする課題】
【０００６】
本願発明の主たる目的は、中高層或いは高層の建物のセキュリティーの向上を図ることである。すなわち、不審者がかご内に乗り込み行先タッチ釦の押下をしても、例えば行先階のランプが点灯しない、かごが上昇しない、行先階に停止しない等の態様を得て、セキュリティーの、さらなる向上を図ることである。また認証の利便性を図ることである。従たる目的はエレベータの乗場での利便性を図ることである。
【課題を解決するための手段】
【０００７】
本発明のエレベータにおける行先階制御システムは、利用者が中高層或いは高層の建物の共用ゲートを通って乗場へと移動する間に、該利用者が所持する記憶媒体のＩＤ認証を行い、かつ前記共用ゲート又は該共用ゲート付近のいずれかに設けられたゲート認証手段と、かご制御装置と、行先タッチ釦用のタッチパネル制御部を有する行先階登録装置を備えたエレベータにおける行先階制御システムであって、前記利用者が乗り込むかご内に再び前記記憶媒体のＩＤ認証を行うかご内認証手段を配設し、前記かご制御装置又は行先階登録装置のいずれかは、前記ゲート認証手段の認証成立を判定した時点から所定時間内に前記かご内認証手段での認証の成立を判定しない限り、前記乗場から上昇する基準階に位置する前記かごの前記行先タッチ釦のタッチ操作に基づく行先を有効としないように制御することを特徴とする。
【０００８】
また本発明のエレベータにおける行先階制御システムは、利用者が中高層或いは高層の建物の共用ゲートを通って乗場へと移動する間に、該利用者が所持する記憶媒体のＩＤ認証を行い、かつ前記共用ゲート又は該共用ゲート付近のいずれかに設けられたゲート認証手段と、かご制御装置と、行先タッチ釦用のタッチパネル制御部を有する行先階登録装置を備えたエレベータにおける行先階制御システムであって、前記乗場に前記記憶媒体と呼応する乗場質問器を配設し、前記かご制御装置又は行先階登録装置のいずれかは、前記ゲート認証手段の認証成立を判定した時点から所定時間内に前記乗場質問器での認証での認証の成立を判定しない限り、前記乗場から上昇する基準階に位置するかごの前記行先タッチ釦のタッチ操作に基づく行先を有効としないように制御することを特徴とする。
【０００９】
また、本発明のエレベータにおける行先階制御システムは、利用者が中高層或いは高層の建物の共用ゲートを通って乗場へと移動する間に、該利用者が所持する記憶媒体のＩＤ認証を行い、かつ前記共用ゲート又は該共用ゲート付近のいずれかに設けられたゲート認証手段と、かご制御装置と、行先タッチ釦用のタッチパネル制御部を有する行先階登録装置を備えたエレベータにおける行先階制御システムであって、前記乗場までの通路に前記記憶媒体と呼応する通路質問器を配設し、前記かご制御装置又は行先階登録装置のいずれかは、前記ゲート認証手段の認証成立を判定した時点から所定時間内に前記通路質問器での認証の成立を判定しない限り、前記乗場から上昇する基準階に位置するかごの前記行先タッチ釦のタッチ操作に基づく行先を有効としないように制御することを特徴とする。
【００１０】
さらに、本発明のエレベータにおける行先階制御システムは、上記構成に於いて、かご及び各かごをそれぞれ制御するかご制御装置が複数個あり、前記複数個のかご制御装置は、かご側伝送装置を介してエレベータ管理装置に接続し、該エレベータ管理装置、前記かご制御装置又は行先階登録装置のいずれかは、前記ゲート認証手段の認証成立を判定した時点から所定時間内に前記通路、乗場、かご内のいずれかの認証の成立を判定しない限り、前記乗場から上昇する基準階に位置するかごの前記行先タッチ釦のタッチ操作に基づく行先を有効としないように制御することを特徴とする。
【発明の効果】
【００１１】
（ａ）請求項１、請求項３、請求項４に記載の各発明は、第１のゲート認証手段に加えて、第２の認証手段（かご内認証手段、乗場認証手段、通路認証手段）が加味されているので、利用者の「ダブル認証」が可能になり、しかも、該ダブル認証は所定時間内に実行されるので、中高層或いは高層の建物のセキュリティーが著しく向上する。具体例としては、不審者がかご内に乗り込み行先タッチ釦の押下をしても、行先階のランプが点灯しない、かごが上昇しない、行先階に停止しない等のため、居住者、管理員等はセキュリティーに注意を払うことができる。なお、本発明は、利便性を考慮したものではなく、ダブル認証しても、利用者はタッチ釦にタッチする必要があり、望ましくは、居住者、管理員等がタッチ釦にタッチしたならば行先階ランプが点灯する。この点、応答器を拾った場合であっても、不法領得した不審者は、かご内で、どのタッチ釦にタッチしたら良いか判らない。
（ｂ）請求項２に記載の発明は、記憶媒体のＩＤ照合に時間を要しない。特に、出願人のノンタッチキー（登録商標）は、電波が届く所定領域で質問器との間で瞬時に無線通信（呼応）が行われるので、いわゆるハンドフリーが可能となる。
（ｃ）請求項５に記載の発明は、かご制御装置が複数個ある場合であっても、本発明の第１実施形態、第２実施形態等を前提にして、例えば一つの「ホスト認証」に複数の行先階登録装置を有線又は無線で接続することにより、行先階制御システムを簡素化するように構築することができる。
（ｄ）請求項６に記載の発明は、乗場での利便性が向上する。
【図面の簡単な説明】
【００１２】
図１乃至図７は本発明の第１実施形態を示す各説明図。
【図１】本発明の基本的なシステムの構成例を示す概略説明図。
【図２】入り口付近Ａからかご内までの概念図。
【図３】入り口付近Ａからかご内までの平面視側からの概略説明図。
【図４】かご内に設けられた操作パネル部及びかご内質問器の概略説明図。
【図５】行先階登録装置１２を中心とするシステムの構成例を示す概略説明図。
【図６】行先階登録装置１２の要部を示す概略説明図。
【図７】認証処理の一例を示すシーケンス図。
【図８】第２実施形態の認証処理の一例を示すシーケンス図。
【図９】第３実施形態の認証処理の一例を示すシーケンス図。
【図１０】第４実施形態の基本的なシステムの構成例を示す概略説明図。
【発明を実施するための最良の形態】
【００１３】
（１）第１実施形態
図１乃至図７は、本発明の第１実施形態の各説明図である。以下、第１実施形態について、図面を参照して説明する。図１はセキュリティゲート付き行先階制御システム（以下、「行先階制御システムＸ」という。）を示す全体構成図である。詳細は後述する。説明の便宜上、この行先階制御システムＸは、例えば１４階の高層マンションを一例にし、セキュリティゲートが一箇所、通路（ロビー）も一箇所であり、例えば居住人Ｙの乗場（エレベータホール）は基準階（地下１階、地上１階或いは地上２階）を想定している。なお、ここで「基準階」とは、「かご」が上昇する乗場をいう。したがって、地下１階から１４階まで行く場合には地下１階、地上１階から５階まで行く場合には地上１階、地上２階から１１階へ行く場合には、地上２階がそれぞれ基準階と成る。
【００１４】
まず、図１乃至図３に於いて、Ａは建物の共用部分の一つであるセキュリティゲート（例えば自動扉）１の入り口付近、Ｂは通路（ロビー）、Ｃは乗場（エレベータホール）、２は昇降動する「かご」、Ｄはかご内である。
【００１５】
図１で示すように、建物の居住者Ｙは、例えば出願人が製造・販売するノンタッチキー（登録商標）と称される鍵カバーを備えた応答器（タグ）Ｚを所持して帰宅する。そして、まず、入り口付近Ａのフロアでゲート認証を行い、それがＯＫならばセキュリティゲート（以下、「ゲート」という。）１を通過し、該ゲート１の通過後、郵便箱等から郵便物等を取り出して通路Ｂを通過し、その際、実施形態によっては、通路認証を行う。次に、居住者Ｙは乗場Ｃまで行き、そこで、実施形態によっては、乗場認証を行い、かつ望ましくは所定時間内に「かご２」に入り、該かご２の中Ｄで、かご内認証を行う。
【００１６】
図３は、帰宅した居住人Ｙが、建物の共用部分である入り口付近Ａから、通路Ｂを通り、乗場Ｃまで行き、かつ、所定時間内にかご２内Ｄに入り、それぞれ複数回の認証（少なくともダブル認証）が行われることを示す概略説明図である。
【００１７】
この図３を参照にすると、ゲート１を基準として、該ゲート１自体又はゲート１の外壁面の前方に相当する入り口付近Ａの仕切壁３、３には、単数又は複数個の質問器（ゲート認証手段）４、４が配設され、該質問器４に電気的に接続する電気錠、自動扉開閉装置等のロック機構５が適宜箇所に設けられ、さらに、前記ロック機構５を制御する錠制御部６が壁面等の適宜箇所に配設されている。ところで、前記質問器４は前記錠制御部６と一体的に設けても良い。質問器４と錠制御部６が一体であるか、それとも別体であるかは、本発明の本質的事項ではない。
【００１８】
以上のように、セキュリティーを確保するために、例えば第１認証手段としてのゲート認証手段４が共用部分の出入り口Ａに設けられ、さらに、実施形態では、通路Ｂ、乗場Ｃ、そして、望ましくは「かご内Ｄ」のいずれかに、第２の認証手段（通路認証手段７、乗場認証手段８、かご内認証手段９）が単数又は複数個配設され、これらの認証手段７、８、９の認証情報は、少なくとも「かご制御装置１１」又はタッチパネル制御部３３を有する「行先階登録装置１２」のいずれかに有線又は無線で送信される。
【００１９】
さて、行先階登録装置１２の外観構成は、例えば図４の通りであり、かご内Ｄに設けられた「かご内認証手段（ＩＤ情報読取手段）９」、正面視矩形状に見える「操作パネル部１５」、該操作パネル部のパネル面にマトリックス状に配列された「行先階指定ボタン１６（スイッチは符号３４とする。）」及び「表示部１７」を有し、該行先階登録装置１２の内部構成は、例えば図５及び図６で示すとおりである。
【００２０】
図５（全体）及び図６（要部）に於いて、行先階登録装置１２は、入力手段としての識別情報受付部２１を有し、該識別情報受付部２１は、最初に、入口付近Ａでのゲート質問器４から認証情報（ＩＤ認証）を、錠制御部６を介して受理する。
【００２１】
次に、実施形態では、通路Ｂ内での通路質問器７から認証情報（ＩＤ認証）を、図示しない伝送部を介して直接に受理する。その次に、実施形態では、基準階の乗場Ｃでの乗場質問器８から認証情報（ＩＤ認証）を、図示しない伝送部を介して直接に受理する。次に、かご内Ｄに於いて、かご質問器９から認証情報（ＩＤ認証）を、図示しない伝送部を介して直接に受理する。
【００２２】
また行先階登録装置１２は、当然のことながら、制御部、記憶部及び出力部を有する。すなわち、前記識別情報受付部２１から取得した認証情報を一時的に記憶するデータ記憶部２２、ＣＰＵで構成されるデータ処理制御部３２、スイッチ３４を「ＯＮ」、「ＯＦＦ」させるタッチパネル制御部３３及び表示制御部３５を有している。
【００２３】
しかして、前記データ記憶部２２には、例えば行先階指定ボタン１６（スイッチ３４）と行先階指定データとの関係を規定する行先階データ記憶部２２ａ、居住者が所持する応答器Ｚの、例えばＩＤ番号、居住者の氏名、居住者の専用部のゲート番号等を記憶する個人情報記憶部２２ｂ、表示データ記憶部２２ｃ、その他の記憶部分が設けられている。付言すると、前記行先階データ記憶部２２ａは、利用者がタッチした行先階指定ボタン１６（スイッチ３４）の行先階指定データ、該行先階指定データと関連付け(紐付け)された既登録ID等が格納されている。
【００２４】
タッチパネル制御部３３には行先階指定ボタン１６を構成するタッチパネルスイッチ部（スイッチ）３４が接続される。行先階指定ボタン以外の各種の表示を制御する表示制御部３５には表示部３６が接続されている。
【００２５】
ところで、周知のように、行先階指定ボタン１６は、例えば操作パネル部１５の配列枠内に多数のタッチパネルスイッチ部（スイッチ電極）３４がマトリックス状に配列され、普通一般に行先階指定ボタン１６がタッチ操作されたとき、タッチパネル制御部３３は、その操作された行と列のタッチ操作位置を認識し、階指定ボタン１６を点灯させた上で、データ処理制御部３２にスイッチ信号を送出する。
【００２６】
実施形態では、タッチパネル制御部３３を有する行先階登録装置１２又はかご制御装置１１のいずれかは、ゲート認証手段（ゲート質問器）４からの認証情報を始めとし、通路質問器７から認証情報、乗場質問器８から認証情報及びかご質問器９から認証情報を受理し、それらの認証情報の内、「少なくとも一つの認証情報」が「所定時間（例えば２分）内」であれば、条件成立と判断し、行先階を有効であると判定すると共に、タッチ指定位置を認識した場合と同様に、対応する行先階指定ボタン１６を点灯表示する。
【００２７】
一方、ゲート認証手段（ゲート質問器）４の認証成立を判定した時点から所定時間内に前記かご内での認証の成立を判定しない限り、前記乗場から上昇する基準階に位置するかごの前記行先タッチ釦３４の押下を有効としないように制御する。したがって、かご２が上昇しても、認証成立がなかった階には該かご２は停止しない（そのまま通過）。
【００２８】
したがって、第１実施形態のデータ処理制御部３２は、少なくともゲート認証情報及びかご内認証情報の両方をＡＮＤ処理する認証処理手段３２ａ、該認証処理手段の判定結果をタッチパネル制御部３３及びかご制御装置１１に略同時に送信する行先階データ送信手段３２ｂを有する。そして、行先階データ送信手段３２ｂから「認証成立」の判定結果を受取ったタッチパネル制御部３３は、所定時間、対応する行先階指定ボタン１６を点灯表示し、一方、同様に行先階データ送信手段３２ｂから前記判定結果を受取ったかご制御装置１１は、所要時間経過後、かご２が行先階まで昇降して当該認証階に到着するように制御し、かつ、当該認証階に着床すると、かご２のゲート及び建物の当該着床階の扉を開くように制御する。
【００２９】
図７は、認証情報の処理手順を示すフロー図である。図１乃至図３で示すように、例えば居住者Ｙが帰宅して建物の入り口付近Ａの所定領域に入ると、最初にゲート質問器４と居住者Ｙが所持する応答器Ｚとの間で「呼応」が行われ、ゲート認証が開始される。ゲート質問器４がゲート認証を受信すると（Ｓ１１）と、ＩＤ認証が行われる（Ｓ１２）。そこで、読取ＩＤと登録ＩＤとを比較し、認証が成立すれば、正当な居住者（乗る権限）と見做し（Ｓ１３）、該ゲート認証情報は伝送部を介いて行先階登録装置１２に送信される。なお、この時、ゲート１は錠制御部６に制御されて自動的に開く。
【００３０】
行先階登録装置１２の識別情報受付部２１は、ゲート認証情報を受信すると（Ｓ１４）、データ処理部３２は認証情報を処理して、その行先階を確定し、その後、データ記憶部２２の記憶領域に一時的に登録する（Ｓ１５）。
【００３１】
次に、居住者Ｙが通路Ｂを通過すと、通路質問器７が前記ゲート質問器４と同様に応答器Ｚとの間で「呼応」を行い、認証が成立すれば、同様に通路認証情報は伝送部を介いて行先階登録装置１２に送信され、データ処理部３２は上述と同様に認証情報を処理する。以下、乗場質問器８の乗場認証も同様である。
【００３２】
そして、最後に、居住者Ｙがかご２に乗り込むと、かご内Ｄでかご内質問器９と応答器Ｚとの間で「呼応」が行われる（Ｓ１６）。かご内質問器９は読取ＩＤと登録ＩＤとを比較し（Ｓ１７）、認証が成立すれば、正当な居住者（乗る権限）と見做し（Ｓ１８）、該かご内認証情報は伝送部を介いて行先階登録装置１２に送信される。
【００３３】
識別情報受付部２１は、かご内認証情報を受信すると（Ｓ１９）、それが所定時間（例えば２分）内の第２の認証情報か否かを判定する（Ｓ２０）。そして、データ処理部３２は、該かご内認証が所定時間内（例えば１分）であれば、その後、例えば居住者Ｙの行先タッチ釦の押す操作（Ｓ２１）の入力情報を処理し、該行先タッチ釦の押下を有効とする（Ｓ２２）。その結果、かご２は基準階から上昇し（Ｓ２３）し、行先階に着床する。
【００３４】
前記の処理に於いて、仮に不審者が「なりすまして」かご内に乗んだとしても、（イ）一度も認証がない、（ロ）ダブル認証がない、（ハ）所定時間内のダブル認証でない場合には、かご内に乗り込み行先タッチ釦の押下をしても、例えば行先階のランプが点灯しない、かごが上昇しない、行先階に停止しない等の態様となる。
【００３５】
なお、応答器Ｚと各質問器（４、７、８、９）は、所定の電波でやり取りを行い、例えば１メートル、３メートル、４メートル等の所定領域で呼応が可能であり、該ＩＤ読み取り手段の技術は自明事項である（例えば特開平３−２３５０８１号公報、特開３−２２８９８８号公報、特許第３３４６６８６号公報、特許第３９０７０７８号公報、特開２０１０−１２６８９８号公報等）。
【００３６】
以上のように、第１実施形態は、利用者Ｙ（帰宅の場合には居住者、出勤の場合には会社員等）が中高層或いは高層の建物の共用ゲート１を通って乗場Ｃへと移動する間に、該利用者Ｙが所持する応答器Ｚと、前記共用ゲート１又は該共用ゲート付近Ａのいずれかに設けられたゲート質問器４との間で該応答器ＺのＩＤ認証を行うゲート認証手段４と、かご制御装置１１及び行先タッチ釦用のタッチパネル制御部３３を有する行先階登録装置１２を備えた「かご２」とから成るエレベータにおける行先階制御システムＸであって、前記かご内Ｄに前記応答器Ｚと呼応するかご質問器９を配設し、前記かご制御装置１１又は行先階登録装置１２のいずれかは、前記ゲート認証手段４の認証成立を判定した時点から所定時間内に前記かご内Ｄでの認証の成立を判定しない限り、前記乗場Ｃから上昇する基準階に位置するかご２の前記行先タッチ釦３４のタッチ操作に基づく行先を有効としないように制御する。以下、第２実施形態、第３実施形態等の他の実施形態を説明するにあたって、第１実施形態と同一の部分には、同一の符号を付して重複する説明を割愛する。
【００３７】
（２）第２実施形態
図８は第２実施形態の認証処理を示すシーケンス図である。この第２実施形態が前記第１実施形態と異なる点は、行先階登録装置１２の行先タッチ釦３４の押下有効条件が、「ゲート質問器４の認証成立」と、少なくとも「乗場質問器８の認証成立」と、前記通路質問器８の認証成立が「所定時間内」であることである。この第２実施形態の認証処理のシーケンスは図８に示すとおりであり、Ｓ１６が、かご内認証受信ではなく、「乗場認証受信か？」という点が主に異なる。なお、前記押下有効条件に、さらに、「通路質問器７の認証成立」又は「かご内質問器９の認証成立」のいずれかを加味しても良い。
【００３８】
（３）第３実施形態
図９は第３実施形態の認証処理を示すシーケンス図である。この第３実施形態が前記第１実施形態と異なる点は、行先階登録装置１２の行先タッチ釦３４の押下有効条件が、「ゲート質問器４の認証成立」と、少なくとも「通路質問器７の認証成立」と、前記通路質問器７の認証成立が「所定時間内」であることである。この第３実施形態の認証処理のシーケンスは図９に示すとおりであり、ステップＳ１６が、かご内認証受信ではなく、「通路認証受信か？」という点が主に異なる。なお、前記押下有効条件に、さらに、「乗場質問器８の認証成立」又は「かご内質問器９の認証成立」のいずれかを加味しても良い。但し、認証成立を３つ以上求めると、エレベータとしての利便性が害されるので、セキュリティーの向上（防犯目的）と利便性の両方を調和するのが望ましい。
【００３９】
（４）第４実施形態
図１０は第４実施形態の基本的な行先階制御システムＸ１の構成例を示す概略説明図である。第４実施形態が前記第１実施形態と主に異なる点は、建物に複数の「かご２Ａ、２Ｂ」と、これらのかご２Ａ、２Ｂを制御する「かご制御装置１１Ａ、１１Ｂ」が複数ある場合を想定している。高層建物は、基準階となる乗場に複数（例えば２台、３台）のエレベータが存在している。このような場合には、エレベータを「群」として管理するエレベータ管理装置４１がかご側伝送装置４２を介して複数の「かご２Ａ、２Ｂ」に接続している（例えば特開２０１２−１８８１９０号公報、特開２００９−２９２６０４号公報等）。
【００４０】
そこで、第４実施形態の行先階制御システムＸ１は、第１実施形態を前提として、「かご２Ａ、２Ｂ」及び各かごをそれぞれ制御する「かご制御装置１１Ａ、１１Ｂ」が複数個あり、前記複数個のかご制御装置１１Ａ、１１Ｂは、かご側伝送装置４２を介してエレベータ管理装置４１に接続し、「該エレベータ管理装置４１」、複数の「かご制御装置１１Ａ、１１Ｂ」又は複数の「行先階登録装置１２Ａ、１２Ｂ」のいずれかは、前記ゲート認証手段４の認証成立を判定した時点から所定時間内に通路Ｂ、乗場Ｃ、かご内Ｄのいずれかの認証の成立を判定しない限り、前記乗場から上昇する基準階に位置するかごの前記行先タッチ釦３４のタッチ操作に基づく行先を有効としないように制御する。
【００４１】
なお、第４実施形態の行先階制御システムＸ１に於いて、かご制御装置１１Ａ、１１Ｂが複数個ある場合であっても、本発明の第１実施形態、第２実施形態等を前提にして、例えば図示しない一つの「ホスト認証」に複数の行先階登録装置１２Ａ、１２Ｂを有線又は無線で接続することにより、行先階制御システムＸ１を合理的に構築することができる。
【００４２】
（５）その他の加味的事項
第１乃至第４の各実施形態に対する限定要件として、エレベータの利便性を向上させるという発明の課題を加味することができる。このような実施形態の場合には、例えばかご制御装置（１１、１１Ａ、１１Ｂ）又は行先階登録装置（１２、１２Ａ、１２Ｂ）のいずれかは、ゲート認証手段４の認証成立を判定した時点から所定時間内にエレベータの搭乗口（かご自体の扉も含む）の扉を開扉状態に制御する。
【００４３】
（６）特記
利用者が所持する記憶媒体Ｚは、いわゆるＩＤカード、タグと称される応答器、タグ機能を有する携帯端末のいずれでも良いが、望ましくは、電波の届く所定領域で、質問器（リーダライター）と呼応可能な前記応答器やタグ機能を有する携帯端末が望ましい。
【産業上の利用可能性】
【００４４】
本発明は、例えば集合住宅の帰宅時の認証システムとして利用することができる。
【符号の説明】
【００４５】
Ｘ、Ｘ１…行先階制御システム、
Ｙ…利用者、Ｚ…記憶媒体（応答器：タグ）、
Ａ…入り口付近、Ｂ…通路（ロビー）、
Ｃ…乗場（エレベータホール）、Ｄ…かご内、
１…ゲート、
２、２Ａ、２Ｂ…かご、
４…ゲート認証手段（質問器：リーダ）、
５…ロック機構、６…錠制御部、
７…通路質問器（通路認証手段）、
８…乗場質問器（乗場認証手段）、
９…かご内認証手段、
１１、１１Ａ、１１Ｂ…かご制御装置、
１２、１２Ａ、１２Ｂ…行先階登録装置、
１５…操作パネル部、
１６…行先階指定ボタン、
２１…識別情報受付部、
２２…データ記憶部、
２２ａ…行先階データ記憶部、２２ｂ…個人情報記憶部、
３２…データ処理制御部、
３３…タッチパネル制御部、
３４…タッチパネルスイッチ部（スイッチ）、
３５…表示制御部、
４１…エレベータ管理装置、
４２…かご側伝送装置。
【図２】
2015189553.tif 000003
【図４】
2015189553.tif 000004
【図５】
2015189553.tif 000005
【図６】
2015189553.tif 000006
【図７】
2015189553.tif 000007
【図８】
2015189553.tif 000008
【図９】
2015189553.tif 000009
【図１】
2015189553.tif 000010
【図３】
2015189553.tif 000011
【図１０】
2015189553.tif 000012